(57)【要約】【課題】  軽量で分解も容易に行うことが可能なパネル連結体を提供する。【解決手段】  ２以上のパネル部材４ａ、４ｂが備えられ、一方のパネル部材４ａに嵌合部が備えられるとともに他方のパネル部材４ｂに被嵌合部が備えられ、前記被嵌合部及び前記嵌合部により各パネル部材４ａ、４ｂが連結されて構成され、前記嵌合部には第１、第２スライド板６１、６２が備えられ、前記被嵌合部には第１、第２ガイド板７１、７２と係止凸部７３とが備えられ、第１スライド板６１を第１ガイド板７１上でスライドさせ、第１スライド板６１を係止凸部７３に突き当てさせてから、第１、第２スライド板６１、６２を前記第１、第２ガイド板７１，７２にそれぞれ重ね合わせて一体化されてなることを特徴とするパネル連結体を採用する。【選択図】        図７
2005114087.tif 000002
【特許請求の範囲】
【請求項１】
中空アルミ押出し材で形成された２以上のパネル部材が備えられ、各パネル部材には、表面壁と裏面壁と一方の側壁と他方の側壁とからなる断面視略矩形状の中空本体が各々備えられ、一方のパネル部材の一方の側壁に嵌合部が備えられるとともに他方のパネル部材の他方の側壁に被嵌合部が備えられ、前記被嵌合部に前記嵌合部が嵌合することによって各パネル部材が相互に連結されて構成されたパネル連結体であり、
前記嵌合部には、前記一方の側壁からほぼ垂直に突出する第１スライド板と、前記一方の側壁からほぼ垂直に突出するとともに前記第１スライド板の裏面側に位置する第２スライド板とが備えられ、
前記被嵌合部には、前記他方の側壁からほぼ垂直に突出して前記第１スライド板の裏面側に重ねられるための第１ガイド板と、前記他方の側壁からはぼ垂直に突出するとともに前記第２スライド板の裏面側に重ねられるための第２ガイド板と、前記他方の側壁からほぼ垂直に突出して前記第１スライド板に突き当てられるための係止凸部とが備えられ、
前記第１スライド板の先端にはテーパー面が形成されるとともに、前記第２スライド板の先端には前記テーパー面とほぼ同一角度に傾斜した折曲部が形成され、前記テーパー面を前記第１ガイド板上でスライドさせ、前記第１スライド板を前記係止凸部に突き当てさせてから、前記第１、第２スライド板を前記第１，第２ガイド板にそれぞれ重ね合わせ、
前記第１スライド板の先端には前記第１ガイド板寄りにオフセットされるとともに前記テーパー面を有するオフセット部が設けられ、該オフセット部が前記第１スライド板と前記係止凸部との間の係止溝に嵌め込まれ、
前記第１ガイド板の先端には前記第１スライド板側に折曲されてなる係合部が設けられるとともに、該係合部が前記第１スライド板の裏面側に突出形成された被係合部に係合されてなることを特徴とするパネル連結体。
【請求項２】
前記係合部と前記被係合部との間に隙間が設けられ、前記第１スライド板と前記第１ガイド板が相互に摺動自在とされていることを特徴とする請求項１に記載のパネル連結体。
【請求項３】
前記パネル部材の前記表面壁に凹凸部が形成されていることを特徴とする請求項１または請求項２に記載のパネル連結体。
【発明の詳細な説明】
【技術分野】
【０００１】
本発明は、バンやウイングタイプの運搬車、冷凍車等の貨物容器や、海上コンテナ等の壁面を構成するアオリ、パネル連結体に関するもので、特に、アルミ押出し形材からなる複数のパネル部材を相互に連結した構造のパネル連結体に関するものである。
【背景技術】
【０００２】
バンやウイングタイプの運搬車、冷凍車等の貨物容器や、海上コンテナ等には、荷物の積み卸しに使用される荷役観音扉が設けられている。特許文献１には、従来の観音扉として、複数のパネルをその側端面同士で連結させてなる観音扉が提案されている。
【０００３】
同文献の図４に記載された観音扉においては、一方のパネル１１０の側端面に係止溝１１２ｃが形成されるとともに、この側壁面から円弧状に突出する円弧状外方側壁１１２ｊの先端にフック１１２ｋが形成されている。また、他方のパネル１２０には、前記フック１１２ｋが嵌め込まれる受け溝１２１ｆと前記円弧状外方側壁１１２ｊに接する円弧状連結用側壁１２１ｄが形成されている。そして、受け溝１２１ｆにフック１１２ｋを落とし込むとき、円弧状連結用側壁１２１ｄに円弧状外方側壁１１２ｊを押圧する弾性復元力が円弧状外方側壁１１２ｊに作用するように構成されている。
【特許文献１】特開平１１−２２９７２４号公報  図４
【発明の開示】
【発明が解決しようとする課題】
【０００４】
同文献に記載の観音扉においては、円弧状連結用側壁１２１ｄと円弧状外方側壁１１２ｊとの間で作用する弾性復元力を利用してパネル同士を接合しており、弾性復元力を有効に利用するには、円弧状連結用側壁１２１ｄ及び円弧状外方側壁１１２ｊをある程度長くする必要がある。しかし、これらの側壁１２１ｄ、１１２ｊを長くするとパネルの自重が増加し、結果的に観音扉が重くなってしまうという問題があった。
また、同文献に記載の観音扉においては、一旦パネル同士を組み合わせたものを分解することが困難である。従って、例えば組立中に一つのパネルが破損すると、それまで組み上げた全てのパネルを破棄せざるを得ず、損失が極めて大きかった。
【０００５】
本発明は、上記事情に鑑みてなされたものであって、軽量で分解も容易に行うことが可能なパネル連結体を提供することを目的とする。
【課題を解決するための手段】
【０００６】
上記の目的を達成するために、本発明は以下の構成を採用した。
本発明のパネル連結体は、中空アルミ押出し材で形成された２以上のパネル部材が備えられ、各パネル部材には、表面壁と裏面壁と一方の側壁と他方の側壁とからなる断面視略矩形状の中空本体が各々備えられ、一方のパネル部材の一方の側壁に嵌合部が備えられるとともに他方のパネル部材の他方の側壁に被嵌合部が備えられ、前記被嵌合部に前記嵌合部が嵌合することによって各パネル部材が相互に連結されて構成されたパネル連結体であり、前記嵌合部には、前記一方の側壁からほぼ垂直に突出する第１スライド板と、前記一方の側壁からほぼ垂直に突出するとともに前記第１スライド板の裏面側に位置する第２スライド板とが備えられ、前記被嵌合部には、前記他方の側壁からほぼ垂直に突出して前記第１スライド板の裏面側に重ねられるための第１ガイド板と、前記他方の側壁からはぼ垂直に突出するとともに前記第２スライド板の裏面側に重ねられるための第２ガイド板と、前記他方の側壁からほぼ垂直に突出して前記第１スライド板に突き当てられるための係止凸部とが備えられ、前記第１スライド板の先端にはテーパー面が形成されるとともに、前記第２スライド板の先端には前記テーパー面とほぼ同一角度に傾斜した折曲部が形成され、前記テーパー面を前記第１ガイド板上でスライドさせ、前記第１スライド板を前記係止凸部に突き当てさせてから、前記第１、第２スライド板を前記第１，第２ガイド板にそれぞれ重ね合わせ、前記第１スライド板の先端には前記第１ガイド板寄りにオフセットされるとともに前記テーパー面を有するオフセット部が設けられ、該オフセット部が前記第１スライド板と前記係止凸部との間の係止溝に嵌め込まれ、前記第１ガイド板の先端には前記第１スライド板側に折曲されてなる係合部が設けられるとともに、該係合部が前記第１スライド板の裏面側に突出形成された被係合部に係合されてなることを特徴とする。
【０００７】
上記構成によれば、第１スライド板を第１ガイド板上でスライドさせることにより各パネル部材を連結させるため、弾性変形する部分がなく、このため、第１スライド板の突出方向の長さを短くしても連結には支障がなく、これによりパネル連結体を軽量化することができる。
また、テーパー面を第１ガイド板上でスライドさせるため、スライドによって第１ガイド板に傷が発生する虞が少なく、パネル部材の損傷を防止することができる。
更に、第２スライド板に折曲部が設けられているので、第１スライド板をスライドさせる際に、この折曲部が第２ガイド板に接触することがなく、第２ガイド板に傷を負わせることがない。
更に、各パネル部材は、第１スライド板を連結時と逆方向にスライドさせることで容易に分離させることができる。これにより、万一、パネル部材の一つが損傷を受けた場合でもその損傷を受けたパネル部材だけ交換することができ、パネル連結体のメンテナンスが容易に行える。
【０００８】
また本発明のパネル連結体は、先に記載のパネル連結体であり、前記係合部と前記被係合部との間に隙間が設けられ、前記第１スライド板と前記第１ガイド板が相互に摺動自在とされていることを特徴とする。
【０００９】
この構成によれば、パネル部材同士を連結する際に、ある程度の遊びを持たせて連結させることが可能になり、パネル部材に寸法誤差が生じてパネル連結体が湾曲した場合にこの隙間をもって寸法誤差を打ち消すことができ、パネル連結体の湾曲を防止することができる。
また、前記係合部と前記被係合部との間に隙間が設けられる場合でも、第１スライド板と係止凸部とが突き合わされているので、雨水等の侵入を防止することができる。更に、前記第１スライド板と前記第１ガイド板が相互に摺動した場合は、第１スライド板と係止凸部との間に新たな隙間が生じる一方で、前記係合部と前記被係合部とが密接するため、雨水等の侵入を防止することができる。
尚、前記第１スライド板と前記第１ガイド板が相互に摺動するのは、パネル連結体の裏面側から荷重が加えられた場合が想定されている。
【００１０】
更に本発明のパネル連結体は、先に記載のパネル連結体であり、前記パネル部材の前記表面壁に凹凸部が形成されていることを特徴とする。
【００１１】
上記構成によれば、各パネル部材の表面壁に凹凸部が形成されているので、雨水や汚れが落ちやすくなる。
【発明の効果】
【００１２】
本発明のパネル連結体によれば、連結時に弾性変形する部分がないため、第１スライド板及び第１ガイド板の突出方向の長さを短くしても連結には支障がなく、パネル連結体を軽量化することができる。
また、テーパー面をスライドさせるために傷が発生する虞が少なく、パネル部材の損傷を防止することができる。
更に、各パネル部材は容易に分離させることができ、万一、パネル部材の一つが損傷を受けた場合でもその損傷を受けたパネル部材だけ交換することができ、パネル連結体のメンテナンスが容易に行える。
【００１３】
更に、前記係合部及び前記被係合部、もしくは、第１スライド板及び係止凸部のいずれか一方が常に密接しているので、荷室内に雨水等が侵入するのを防止することができる。
また、各パネル部材の表面壁に凹凸部が形成されているので、雨水や汚れが落ちやすくなる。
【発明を実施するための最良の形態】
【００１４】
以下、本発明の実施の形態を図面を参照して説明する。
図１には、トラック等の車両に搭載される容器本体の開口部に取り付けられるドアパネルの平面模式図を示す。図１に示すドアパネル１は、枠体２と、枠体２によって保持された本発明に係るパネル連結体３とから構成されている。パネル連結体３は、複数のパネル部材４…が相互に連結されて構成されている。枠体２は、上部枠２ａと、下部枠２ｂと、上部枠２ａ及び下部枠２ｂを連結する側部枠２ｃ、２ｄによって平面視略ロ字状に組み立てられ、この枠体２の枠内にパネル連結体３が嵌め込まれている。パネル連結体３が枠体２によって保持、固定されることにより、パネル部材４…同士が相互に分離されないようになっている。
【００１５】
図２は、図１に示したパネル連結体３を構成するパネル部材４の一例を示す図であって、図１のＡ-Ａ’線に対応する断面図である。また、図３は、パネル部材４の要部を示す部分断面図であって、２つのパネル部材を並べて置いた状態を示す図である。
図２に示すパネル部材４は、中空アルミ押出し材で形成されたもので、中空本体５と、嵌合部６及び被嵌合部７を主体として構成されている。中空本体５は、表面壁５１と裏面壁５２と一方の側壁５３と他方の側壁５４から構成され、断面視略矩形状に形成されている。また、嵌合部６は一方の側壁５３に備えられており、被嵌合部７は他方の側壁５４に備えられている。
【００１６】
嵌合部６には、第１スライド板６１と第２スライド板６２とが備えられている。第１、第２スライド板６１、６２はそれぞれ、一方の側壁５３からほぼ垂直に突出して形成されている。また、第１スライド板６１は側壁５３の表面壁寄りに位置しており、表面壁５１の延長上に形成されている。一方、第２スライド板６２は、第１スライド板６１よりも裏面壁５２寄りに位置している。
【００１７】
次に、被嵌合部７には、第１ガイド板７１と、第２ガイド板７２と、係止凸部７３と、ストッパ凸部７４とが備えられている。第１、第２ガイド板７１、７２及び係止凸部７３並びにストッパ凸部７４はそれぞれ、他方の側壁５４からほぼ垂直に突出して形成されている。また、係止凸部７３は側壁５４の表面壁寄りに位置しており、表面壁５１の延長線上に形成されている。第１ガイド板７１は係止凸部７３よりも裏面壁５２寄りに位置している。そして、第１ガイド板６１と係止凸部７３の間には、第１ガイド板６１、係止凸部７３及び側壁５４に区画された係合溝７５が設けられている。
【００１８】
またストッパ凸部７４は第１ガイド板６１よりも更に裏面壁５２寄りに位置している。更に第２ガイド板７２はストッパ凸部７４よりも更に裏面壁５２寄りに位置している。そして、第２ガイド板７２とストッパ凸部７４の間には、第２ガイド板７２、ストッパ凸部７４及び側壁５４に区画されたストッパ溝７６が設けられている。
【００１９】
また、図３に示すように、パネル部材４の厚さ方向（表面壁５１または裏面壁５２の法線方向）を基準としたときに、第１ガイド板７１が第１スライド板６１の裏面６１ａ寄りに位置しており、第２ガイド板７２が第２スライド板６２の裏面６２ａ寄りに位置している。これにより、嵌合部６と被嵌合部７が相互に嵌合したときに、第１スライド板６１が第１ガイド板７１に重ねられるとともに、第２スライド板６２が第２ガイド板７２に重ねられるようになっている。
また、図３に示すように、パネル部材４の厚さ方向を基準としたときに、係止凸部７３が第１スライド板６１とほぼ同じ高さに位置しており、これにより、嵌合部６と被嵌合部７が相互に嵌合したときに、係止凸部７３の先端と第１スライド板６１とが突き合わされるようになっている。
【００２０】
次に図２及び図３に示すように、第１スライド板６１の先端には、裏面壁５２寄りにオフセットされたオフセット部６１ｂが設けられている。図３に示すように、パネル部材４の厚さ方向を基準としたときに、このオフセット部６１は係止溝７５とほぼ同じ高さに位置している。これにより、嵌合部６と被嵌合部７が相互に嵌合したときに、オフセット部６１ｂが係止溝７５に嵌め込まれるようになっている。
更に、第１スライド板６１の先端面６１ｃは斜めに傾斜したテーパー面とされており、一方、係止凸部７３の先端面７３ａもこの先端面６１ｃの傾斜角度に対応したテーパー面とされている。
【００２１】
また、図２及び図３に示すように、第１スライド板６１の裏面６１ａには、裏面壁５２側に突出した被係合部６１ｄが設けられている。また、被係合部６１ｄと側壁５３の間には、被係合部６１ｄ及び側壁５３並びに第１スライド板６１によって区画された被係合溝６１ｅが設けられている。更に、被係合部６１ｄの被係合溝６１ｅ側の面が側壁５３に対して傾斜した傾斜面６１ｆとされており、これにより被係合溝６１ｅは断面視略台形状に形成されている。
一方、第１ガイド板７１の先端には、第１スライド板６１側に折曲されてなる係合部７１ａが設けられている。係合部７１ａの折り曲げ角度は、被係合部６１ｄの傾斜面６１ｆの傾斜角度に対応したものとなっている。また、係合部の先端には、第１スライド板６１と平行に折り曲げられた先端スライド部７１ｂが設けられている。
そして、嵌合部６と被嵌合部７が相互に嵌合したときに、係合部７１ａが被係合部６１ｄに係合するとともに、先端スライド部７１ｂが被係合溝６１ｅに嵌め込まれるようになっている。
【００２２】
更に、オフセット部６１ｂの裏面壁５２側の面は、第１スライド板６１の突出方向に対して傾斜したテーパー面６１ｇとされており、このテーパー面６１ｇによってオフセット部６１ｂの断面視形状が先細り形状になっている。
また、第２スライド板６２の先端にはテーパー面６１ｇとほぼ同一角度に傾斜した折曲部６２ｂが形成されている。この折曲部６２ｂは、パネル部材４の厚さ方向を基準としたときに、被係合部７のストッパ溝７６とほぼ同じ高さに位置しており、これにより、嵌合部６と被嵌合部７が相互に嵌合したときに、折曲部６２ｂがストッパ溝７６に嵌め込まれるようになっている。
【００２３】
更に、図２に示すように、パネル部材４の表面壁５１の表面には凹凸部５１ａが形成されている。この凹凸部５１ａは、ピッチが５〜７．５ｍｍとされ、凸部の高さが０．０８〜０．１５ｍｍとされている。この凹凸部５１ａは、表面壁５１のみならず、この表面壁５１の延長上にある第１スライド板６１及び係止凸部７３にも連続して形成されている。
【００２４】
次に、図４〜図６に、パネル部材同士を連結してパネル構成体を組み立てる工程図を示す。
まず図４に示すように、一方のパネル部材４ａの第１板６１の先端を、他方のパネル部材４ｂの第１ガイド板７１に当接させる。このとき、一方のパネル部材４ａを、他方のパネル部材４ｂに対して所定の角度をもって傾けた姿勢とする。パネル部材４ａの傾斜角度は、テーパー面６１ｇ及び折曲部６２ｂの傾斜角度と同じ角度にすることが好ましい。これにより、第１スライド板６１先端のテーパー面６１ｇのほぼ全面が第１ガイド板７１に当接する。
尚、このとき第２スライド板６２は第２ガイド板７２に接触しない。これは、第２スライド板６２の先端にある折曲部６２ｂが、第２ガイド板７２と反対側に曲げられているためである。
【００２５】
次に図５に示すように、一方のパネル部材４ａを傾けたまま、他方のパネル部材４ｂ側にスライドさせる。これにより、第１スライド板６１が、第１ガイド板７１上をスライドし、第１スライド板６１の先端にあるオフセット部６１ｂが係合溝７５に嵌め込まれ、更に第１スライド板６１の先端面６１ｃが係止突起７３の先端面７３ａに突き当てられる。
【００２６】
次に図６に示すように、一方のガイド部材４ａを他方のガイド部材４ｂと平行にする。これにより、第１ガイド板７１上に第１スライド板６１が重ねられるとともに、第２ガイド板７２上に第２スライド板６２が重ねられる。
また、第１ガイド板７１上に第１スライド板６１が重ねられる際に、第１ガイド板７１先端の係合部７１ａが第１スライド板６１の被係合部６１ｄと係合し、第１ガイド板７１先端の先端スライド部７１ｂが被係合溝６１ｅに嵌め込まれる。このとき、係合部７１ａの傾斜角度と、被係合部６１ｄの傾斜面６１ｆの傾斜角度がほぼ一致しているため、係合部７１ａと被係合部６１ｄとがスムーズにかみ合わされる。
【００２７】
また、第２ガイド板７２上に第２スライド板６２が重ねられる際に、第２スライド板６２先端の折曲部６２ｂがストッパ溝７６に嵌め込まれる。
更にまた、一方のパネル部材４ａの表面壁５１及び第１スライド板６１と、他方のパネル部材４ｂの表面壁５１及び係止凸部７３とにより、同一面が形成される。この同一面が、パネル連結体の表面となる。
以上のようにして、ガイド部材同士が連結されてパネル連結体が構成される。
【００２８】
図７には２つのパネル部材４ａ、４ｂが連結されてなるパネル連結体４０の断面模式図を示す。
このパネル連結体４０においては、第１スライド板６１が第１ガイド板７１に重ねられるとともに、第２スライド板６２が第２ガイド板７２に重ねられている。また、係止凸部７３の先端面７３ａと第１スライド板６１の先端面６１ｃとが突き合わされている。先端面７３ａ、６１ｃはそれぞれ、同一の傾斜角度に傾斜したテーパー面となっているため、これら先端面７３ａ、６１ｃ同士はほぼ完全に密着される。
【００２９】
また、第１スライド板６１の先端のオフセット部６１が係止溝７５に嵌め込まれている。更に、第１ガイド板７１の係合部７１ａが第１スライド６１板の被係合部６１ｄに係合するとともに、先端スライド部７１ｂが被係合溝６１ｅに嵌め込まれている。更に、第２スライド板６２の先端の折曲部６２ｂがストッパ溝７６に嵌め込まれている。
【００３０】
上記のパネル連結体４０においては、第１スライド板６１の裏面から突出した被係合部６１ｄと、第１ガイド板７１の先端から第１スライド板６１側に折曲された係合部７１ａとが係合しているので、パネル部材４ａ、４ｂをその幅方向（表面壁５１または裏面壁５２と平行な方向）にそれぞれ引っ張った場合でもパネル部材４ａ、４ｂ同士が分離する虞がない。
パネル部材４ａ、４ｂ同士を分離させるには、他方のパネル部材４ｂに対して一方のパネル部材４ａを斜めに傾けることにより、容易に分離させることができる。
【００３１】
更に、オフセット部６１ｂが係止溝７５に嵌め込まれ、先端スライド部７１ｂが被係合溝６１ｅに嵌め込まれ、更に折曲部６２ｂがストッパ溝７６に嵌め込まれているので、パネル部材４ａ、４ｂ同士が厚さ方向にずれる虞がない。
【００３２】
また、第１板６１を第１ガイド板７１上でスライドさせることにより各パネル部材４ａ、４ｂを連結させるため、弾性変形する部分がなく、第１スライド板６１及び第１ガイド板７１の突出方向の長さを短くしても連結には支障がなく、これによりパネル連結体４０を軽量化することができる。
また、テーパー面６１ｇを第１ガイド板７１上でスライドさせるため、スライドによって傷が発生する虞が少なく、パネル部材４ａ、４ｂの損傷を防止することができる。
更に、各パネル部材４ａ、４ｂは、第１スライド板６１を連結時と逆方向にスライドさせることで容易に分離させることができる。これにより、万一、パネル部材の一つが損傷を受けた場合でもその損傷を受けたパネル部材だけ交換することができ、パネル連結体４０のメンテナンスが容易に行える。
【００３３】
また、各パネル部材４ａ、４ｂの表面壁５１に凹凸部５１ａが形成されているので、雨水や汚れが落ちやすくなる。
【００３４】
次に図８には、パネル連結体の他の例を断面図で示す。このパネル連結体４１においては、第２ガイド板７２と第２スライド板６２とを貫通する貫通孔４２が設けられ、この貫通孔４２にリベット４３が打ち込まれている。このリベット４３によって、第２スライド板６２と第２ガイド板７２とが固定されている。
このパネル連結体４１によれば、第２スライド板６２と第２ガイド板７３とが固定されているので、パネル部材４、４同士を確実に固定することができる。
【００３５】
次に図９には、パネル連結体のその他の例を示す。図９に示すパネル連結体４４においては、係合部７１ａと被係合部６１ｄとの間に隙間Ｇ１が設けられており、この隙間Ｇ１の存在によって、第１スライド板６１と第１ガイド板７１が相互に摺動自在とされている。
即ち、図９に示すように、一方のパネル部材４ａの第１スライド板６１の先端面６１ｃから被係合部６１ｄの傾斜面６１ｆまでの間隔をＸとし、他方のパネル部材４ｂの係合凸部７３の先端面７３ａから第１ガイド板７１の係合部７１ａまでの間隔をＹとしたときに、Ｙ＞Ｘとされている。このＹとＸの差分（Ｙ−Ｘ）が隙間Ｇ１の間隔になる。
【００３６】
図１０には、パネル連結体４４の裏面側から荷重Ｆが加えられたときのパネル連結体４４の断面を示す。パネル連結体４４の裏面側から荷重Ｆが加えられると、まず、第２ガイド板７２によって第２スライド板６２が持ち上げられる。第２スライド板６２は、その先端にある折曲部６２ｂがストッパ凸部７４に当接されることによって係止される。同時に、第１スライド板６１と第２ガイド板７１が相互に摺動し、係合部７１ａと被係合部６１ｄとが当接されて隙間Ｇ１が消失するとともに、第１スライド板６１の先端面６１ｃと係止凸部７３の先端面７３ａとが離れて隙間Ｇ２が形成される。この隙間Ｇ２の間隔は、隙間Ｇ１の間隔とほぼ同じである。
【００３７】
上記のパネル連結体４４によれば、パネル部材４ａ、４ｂ同士を連結する際に、隙間Ｇ１、Ｇ２によってある程度の遊びを持たせた状態で連結させることが可能になり、パネル部材４ａ、４ｂに寸法誤差が生じた場合でもこの隙間Ｇ１、Ｇ２によって寸法誤差を打ち消すことができ、パネル連結体４４の湾曲を防止することができる。
また、係合部７１ａと被係合部６１ｄとの間に隙間Ｇ１が設けられる場合でも、第１スライド板６１と係止凸部７３とが突き合わされているので、荷室に雨水等が侵入するのを防止することができる。更に、パネル連結体４４の裏面側から荷重が加えられた場合は、第１スライド板６１と係止凸部７３との間に隙間Ｇ２が生じる一方で、係合部７１ａと被係合部６１ｄとが密接するため、荷室に雨水等が侵入するのを防止することができる。
【００３８】
なお、本発明の技術範囲は上記実施の形態に限定されるものではなく、本発明の趣旨を逸脱しない範囲において種々の変更を加えることが可能である。例えば上記実施形態では、パネル連結体を貨物容器の観音扉に適用した例を説明したが、本発明はこの形態に限られるものではなく、貨物容器や海上コンテナ等の壁面部材として本発明のパネル連結体を適用することができる。
【図面の簡単な説明】
【００３９】
【図１】図１は本発明の実施形態であるドアパネルの平面模式図。
【図２】図２は図１に示したドアパネルを構成するパネル部材の一例を示す図であって、図１のＡ-Ａ’線に対応する断面図。
【図３】図３はパネル部材の要部を示す部分断面図。
【図４】図４はパネル連結体の組立工程を示す工程図。
【図５】図５はパネル連結体の組立工程を示す工程図。
【図６】図６はパネル連結体の組立工程を示す工程図。
【図７】図７はパネル連結体の断面図。
【図８】図８はパネル連結体の他の例を示す断面図。
【図９】図９はパネル連結体のその他の例を示す断面図。
【図１０】図１０は図９に示すパネル連結体の裏面側から荷重が加わった場合の状態を示す断面図。
【符号の説明】
【００４０】
３、４１、４４…パネル連結体、４、４ａ、４ｂ…パネル部材、５…中空本体、６…嵌合部、７…被嵌合部、５１…表面壁、５１ａ…凹凸部、５２…裏面壁、５３…一方の側壁、５４…他方の側壁、６１…第１スライド板、６１ａ…裏面、６１ｂ…オフセット部、６１ｄ…被係合部、６１ｇ…テーパー面、６２…第２スライド板、６２ａ…裏面、６２ｂ…折曲部、７１…第１ガイド板、７１ａ…係合部、７２…第２ガイド板、７３…係止凸部、７５…係止溝、Ｇ１…隙間
【図１】
2005114087.tif 000003
【図２】
2005114087.tif 000004
【図３】
2005114087.tif 000005
【図４】
2005114087.tif 000006
【図５】
2005114087.tif 000007
【図６】
2005114087.tif 000008
【図７】
2005114087.tif 000009
【図８】
2005114087.tif 000010
【図９】
2005114087.tif 000011
【図１０】
2005114087.tif 000012